(57)【要約】      （修正有）【課題】透明フィルムカバーに、反射防止機能を持たせると共に上面に筆記が行える機能を持たせた写真用アルバム台紙を提供する。【解決手段】写真用アルバム台紙１０は、台紙本体２と透明フィルムカバー３とからなる。台紙本体には、平面部に粘着層２０が形成され、透明フィルムカバーには、紫外線硬化型ワニス層に型フィルムを圧着し上面から紫外線を照射して型フィルムの凹凸を紫外線硬化型ワニス層に転写して文字６が書き込み可能なつや消し層が上面に形成される。また透明フィルムカバーの下面には、台紙本体の粘着層に剥離可能に粘り着く吸着面３５が形成される。【選択図】図２
0003199072.tif 000002
【実用新案登録請求の範囲】
【請求項１】
平面部に粘着層を形成した台紙本体と、塗布された紫外線硬化型ワニス層に、文字等が書き込み可能なつや消し層を形成することができる微細な大きさの凹凸面を形成した紫外線透過の型フィルムの該凹凸面を圧着し、前記型フィルム上面から紫外線を照射して前記型フィルムの凹凸を紫外線硬化型ワニス層に転写して、文字等が書き込み可能なつや消し層となる紫外線硬化凹凸面を上面に形成し、下面に台紙本体の平面部の粘着層に剥離可能に粘り着く吸着面を形成した透明フィルムカバーとでなる写真用アルバム台紙。
【請求項２】
上記粘着層は、上記透明フィルムカバーの剥離部分構成部を除いた上記台紙本体の平面部の全面に平面的に粘着剤が塗布されたものであることを特徴とする請求項１に記載の写真用アルバム台紙。
【請求項３】
上記粘着層は、上記透明フィルムカバーの剥離部分構成部を除いた上記台紙本体の平面部に斜めの粘着剤のラインとして塗布されたものであることを特徴とする請求項１に記載の写真用アルバム台紙。
【考案の詳細な説明】
【技術分野】
【０００１】
本考案は、写真用アルバム台紙に関するものである。詳しくは、透明フィルムカバーの上面に細かい凹凸を設けてつや消し層とすることにより、反射防止機能を持たせると共に、透明フィルムカバー上面に筆記具による記載を行える機能を付加させた写真用アルバム台紙の改良に関するものである。
【背景技術】
【０００２】
従来より、特許文献１に示されるように、透明フィルムの上面をつや消し層とすることにより、フィルム上面で光が反射せずに内部に収納された写真が見やすく、且つ、フィルム上面に筆記具で文字や図形等を描きやすくしたアルバム台紙が提供されていた。
【０００３】
特許文献１のアルバム台紙は、透明フィルムで光が反射することを防止し、且つ、透明フィルム上面が筆記性を有する構成とするために、透明フィルムに無機の微粒子を含有させたつや消し透明フィルムとしたものであった。
【０００４】
しかし、透明フィルムに無機の微粒子を含有させることは、フィルムが分厚くなってしまうという問題点や微粒子をフィルムに均等に含有させることが難しいといった問題点を有していた。そこで、近年では、サンドブラスト（粒砂）を使用して、フィルム表面を削ってつや消しを作るサンドブラスト製法を使用するのが一般的であったが、該方法もフィルム表面を削るのでフィルムに腰がなくなり、フィルムが弱くなるという問題点を有していた。
【先行技術文献】
【特許文献】
【０００５】
【特許文献１】特許第２９５７４５４号特許公報
【考案の概要】
【考案が解決しようとする課題】
【０００６】
そこで、本考案は、第１に、文字等が書き込み可能なつや消し層を形成した透明フィルムカバーとして、サンドブラストで削った透明フィルムカバーを使用するのではなく、紫外線硬化凹凸面を上面に形成した透明フィルムカバーを使用することにより、透明フィルムカバーに腰がなくなり、弱くなるという課題を解決した写真用アルバム台紙を提供することを目的とする。
【０００７】
第２に、文字等が書き込み可能なつや消し層となる紫外線硬化凹凸面を上面に形成した透明フィルムカバーを使用することにより、透明フィルムカバーに反射防止機能を持たせると共に、透明フィルムカバー上面に筆記具による筆記が行える機能を付加させた写真用アルバム台紙を提供することを目的とするものである。
【課題を解決するための手段】
【０００８】
上記課題を解決するため、第１の考案は、次の手段を採用した写真用アルバム台紙とする。
第１に、写真用アルバム台紙は、台紙本体と透明フィルムカバーとでなる。
第２に、台紙本体には、平面部に粘着層が形成される。
第３に、透明フィルムカバーには、塗布された紫外線硬化型ワニス層に文字等が書き込み可能なつや消し層を形成することができる微細な大きさの凹凸面を形成した紫外線透過の型フィルムの該凹凸面を圧着し前記型フィルム上面から紫外線を照射して前記型フィルムの凹凸を紫外線硬化型ワニス層に転写して文字等が書き込み可能なつや消し層となる紫外線硬化凹凸面が上面に形成される。
第４に、透明フィルムカバーには、下面に台紙本体の平面部の粘着層に剥離可能に粘り着く吸着面が形成される。
【０００９】
第２の考案は、第１の考案における粘着層が、上記透明フィルムカバーの剥離部分構成部を除いた上記台紙本体の平面部の全面に平面的に粘着剤を塗布されたものであることを付加した写真用アルバム台紙である。
【００１０】
第３の考案は、第１の考案における粘着層が、上記透明フィルムカバーの剥離部分構成部を除いた上記台紙本体の平面部に斜めの粘着剤のラインとして塗布されたものであることを付加した写真用アルバム台紙である。
【考案の効果】
【００１１】
本考案は、以下の効果を発揮する。
第１に、サンドブラスト加工を施した透明フィルムカバーを使用するのではなく、紫外線硬化凹凸面を上面に形成した透明フィルムカバーを使用したので、透明フィルムカバーに腰がなくなり、弱くなるという課題を解決した写真用アルバム台紙を提供することができた。
【００１２】
第２に、文字等が書き込み可能なつや消し層となる紫外線硬化凹凸面を上面に形成した透明フィルムカバーを使用したので、透明フィルムカバーに反射防止機能を持たせると共に、透明フィルムカバー上面に筆記具による筆記が行える機能を付加させた写真用アルバム台紙を提供することができた。
【００１３】
第２の発明の効果ではあるが、粘着層が、台紙本体の平面部の全面に平面的に粘着剤が塗布されたものとすることにより、粘着層を薄くすることのできる写真用アルバム台紙となった。
【００１４】
第３の考案の効果であるが、粘着層を台紙本体の平面部に斜めの粘着剤のラインとして塗布したことで、透明フィルムカバーを台紙本体の平面部に粘着させる際に、透明フィルムカバーと台紙本体の間から空気が抜けやすく、写真を綺麗に貼付することができる写真用アルバム台紙を提供することができた。又、粘着剤をライン状に塗布することにより、使用する粘着剤の量を少なくすることができた。
【図面の簡単な説明】
【００１５】
【図１】写真用アルバム台紙を示す平面図。
【図２】粘着層が台紙に斜めの粘着剤のラインとして塗布された写真用アルバム台紙の平面図。
【図３】透明フィルムカバーの製作工程を示す図で、（Ａ）は紫外線硬化型ワニス層に型フィルムを圧着する図であり、（Ｂ）は型フィルム上面から紫外線を照射して型フィルムの凹凸を紫外線硬化型ワニス層に転写する図であり、（Ｃ）は型フィルムを剥がして紫外線硬化凹凸面を上面に形成した透明フィルムカバーを示す図である。
【考案を実施するための形態】
【００１６】
以下、図面に従って、実施例と共に本考案を実施するための形態について説明する。
本考案は、写真用アルバム台紙である。図１は第１実施例に係る写真用アルバム台紙を示す平面図である。
【００１７】
写真用アルバム台紙１は、図１に示されるように、台紙本体２と透明フィルムカバー３とによりなり、実施例では、透明フィルムカバー３を、他辺を開閉自在として、一辺を台紙本体２に固着したものである。透明フィルムカバー３は図中右辺で固着するもので、符号３６が透明フィルムカバー３の台紙本体２への固着部である。尚、本発明ではこの固着部３６を設けず、全辺より開閉自在とすることもできる。写真用アルバム台紙１は、使用される際には、製本しても良いし、バインダー形式で使用しても良い。
【００１８】
台紙本体２は、その平面部に粘着層２０を有する。粘着層２０の範囲は、台紙本体２の平面部で、透明フィルムカバー３の固着部３６対応位置及び透明フィルムカバー３の剥離部分構成部２１を除いた透明フィルムカバー３の当接面の範囲である。粘着層２０は、上記範囲の台紙本体２の平面部の全面に平面的に粘着剤を塗布したものである。
【００１９】
透明フィルムカバー３は、上面に文字等が書き込み可能なつや消し層となる紫外線硬化凹凸面３４を形成し、下面に台紙本体２の平面部の粘着層２０に剥離可能に粘り着く吸着面３５を形成したものである。
【００２０】
以下に、透明フィルムカバー３の製作工程、即ち、上面に文字等が書き込み可能なつや消し層となる紫外線硬化凹凸面３４を形成する工程について、図３に従って説明する。
先ず、透明フィルム本体３０表面に紫外線硬化型ワニスを塗り、紫外線硬化型ワニス層３１を形成する。
次に、該紫外線硬化型ワニス層３１に、文字等が書き込み可能なつや消し層を形成することができる微細な大きさの凹凸面を形成した紫外線透過の型フィルム３２の該凹凸面を圧着する。図３（Ａ）が紫外線硬化型ワニス層３１に型フィルム３２を圧着する際の図である。
更に、型フィルム３２上面から紫外線照射装置３３より紫外線を照射して型フィルム３２の凹凸を紫外線硬化型ワニス層３１に転写する。図３（Ｂ）がその状態を示す図である。
これにより、型フィルム３２を剥離すると、文字等が書き込み可能なつや消し層となる紫外線硬化凹凸面３４が上面に形成される。図３（Ｃ）が紫外線硬化凹凸面３４を上面に形成した透明フィルムカバー３を示す図である。
【００２１】
次に、第２実施例に係る写真用アルバム台紙１０について説明する。
写真用アルバム台紙１０は、図２に示されるように、粘着層２０が、台紙本体２の平面部に斜めの粘着剤のラインとして塗布されたものであること以外は、第１実施例に係る写真用アルバム台紙１と同様のものである。
【００２２】
写真用アルバム台紙１０は、粘着層２０が台紙本体２の平面部に斜めの粘着剤のラインとして塗布されたものとすることにより、写真４を台紙本体２に貼り付ける際に透明フィルムカバー３から空気が抜けやすく、写真４を綺麗に貼付することができるものとなった。
【００２３】
以下に、写真用アルバム台紙の使用方法について説明する。写真用アルバム台紙１及び写真用アルバム用台紙１０の使用方法は同様であるので、図２の写真用アルバム用台紙１０に基づいて説明する。
【００２４】
先ず、剥離部分構成部２１に位置する透明フィルムカバー３を引き上げ、透明フィルムカバー３を、台紙本体２の剥離部分構成部２１側から剥離する。次に、所望の位置の台紙本体２の平面部の粘着層２０上に写真４を載置する。続いて、透明フィルムカバー３を写真４の上をカバーしながら固着部３６側から開放部側である剥離部分構成部２１側に向けて貼り付けていく。これにより透明フィルムカバー３は、台紙本体２の粘着層２０により粘着保持される。
【００２５】
その後、図２の下部に位置する写真４の画像５に対する説明等を、透明フィルムカバー３の上面に書き入れる。図２では、「○○年○○月○○日」の文字６、「○○山」の文字６、「山道」の文字６が、透明フィルムカバー３の上面に書き込まれている例が示されている。
【符号の説明】
【００２６】
１、１０・・写真用アルバム台紙
２・・・・・台紙本体
３・・・・・透明フィルムカバー
４・・・・・写真
５・・・・・画像
６・・・・・文字
２０・・・・粘着層
２１・・・・剥離部分構成部
３０・・・・透明フィルム本体
３１・・・・紫外線硬化型ワニス層
３２・・・・型フィルム
３３・・・・紫外線照射装置
３４・・・・紫外線硬化凹凸面
３５・・・・吸着面
３６・・・・固着部
【図１】
0003199072.tif 000003
【図２】
0003199072.tif 000004
【図３】
0003199072.tif 000005